【手続補正書】
【提出日】平成29年11月24日(2017.11.24)
【手続補正１】
【補正対象書類名】特許請求の範囲
【補正対象項目名】全文
【補正方法】変更
【補正の内容】
【特許請求の範囲】
【請求項１】
プリンタの第１の近接センサがコントローラによって電力に動作可能に接続されている間、前記プリンタのグラフィカル表示装置と前記プリンタの少なくとも１つの他のコンポーネントとを前記コントローラによって電力から分離し、
前記プリンタに関して物体の位置に対応する信号を生成する前記第１の近接センサから複数の信号を前記コントローラにて受信し、
前記第１の近接センサによって生成された前記複数の信号を参照して、前記プリンタに近接する前記物体の移動経路を前記コントローラによって特定し、
前記物体の前記特定された移動経路と、メモリに格納された複数の物体経路における物体経路の各クラスタと、の間の類似度を前記コントローラによって特定し、前記メモリに格納されている前記複数の物体経路は、前記グラフィカル表示装置を介して受信されたデータに先行する物体経路の複数のクラスタと、前記グラフィカル表示装置を介して受信されたデータに先行しない物体経路の複数のクラスタと、を含み、
前記物体の前記特定された移動経路と前記グラフィカル表示装置を介して受信されたデータに先行する物体経路の１つのクラスタとの間の前記特定された類似度が、所定の閾値を超えることを検知し、
前記物体の前記特定された移動経路と前記グラフィカル表示装置を介して受信されたデータに先行する物体経路の前記１つのクラスタとの間の前記類似度が、前記所定の閾値を超えたことを、前記コントローラが検出したことに応答して、前記プリンタの前記グラフィカル表示装置と前記プリンタの前記少なくとも１つの他のコンポーネントとを、前記コントローラによって電力に動作可能に接続する、
プリンタの動作方法。
【請求項２】
前記物体の前記移動経路の特定はさらに、
第２の近接センサによって生成され、前記プリンタに関して前記物体の位置に対応する複数の信号を前記コントローラにて受信することと、
前記第１の近接センサによって生成された前記複数の信号と前記プリンタの第２の近接センサによって生成された前記複数の信号とを参照して、前記物体の前記特定された移動経路の間の前記類似度を前記コントローラによって特定することと、
を含み、
前記第２の近接センサは、前記コントローラにより電力に動作可能に接続される、請求項１に記載のプリンタの動作方法。
【請求項３】
データを受信する前記プリンタに関連する前記グラフィカル表示装置に対応して前記グラフィカル表示装置を介して受信されたデータに関連して、前記第１の近接センサおよび前記第２の近接センサからの前記複数の信号に対応したデータを、前記コントローラによって、前記メモリにおける前記複数の物体経路に格納することをさらに含む、請求項２に記載のプリントの動作方法。
【請求項４】
前記物体の前記特定された移動経路と、前記メモリに格納されている前記複数の物体経路において前記グラフィカル表示装置を介して受信されたデータに先行しない物体経路のクラスタと、の間の前記類似度が、前記所定の閾値を超えることを前記コントローラによって検知することと、
前記物体の前記特定された移動経路と前記グラフィカル表示装置を介して受信されたデータに先行しない物体経路の前記クラスタとの間の前記類似度が、前記所定の閾値を超えたことを前記コントローラが検出したことに応答して、前記プリンタの前記グラフィカル表示装置と前記プリンタの前記少なくとも１つの他のコンポーネントとを電力に動作可能に接続せずに、前記プリンタの動作を継続することと、をさらに含む、請求項２に記載のプリンタの動作方法。
【請求項５】
前記コントローラで前記物体を検出した後所定時間内に前記プリンタに関連する前記グラフィカル表示装置がデータを受信しないことに応答して、前記グラフィカル表示装置を介して受信されたデータではないことに関連して、前記第１の近接センサおよび前記第２の近接センサからの前記複数の信号に対応するデータを、前記コントローラによって、前記メモリに格納されている前記複数の物体経路に格納するように構成することをさらに含む、請求項４に記載のプリンタの動作方法。
【請求項６】
前記物体の前記特定された移動経路と前記グラフィカル表示装置を介して受信されたデータに先行する物体経路の前記クラスタとの間の前記類似度が、前記所定の閾値を超えたことに応答して、前記コントローラによって、電気ヒータを電力に動作可能に接続することをさらに含み、
前記電気ヒータは、前記プリンタの定着器に動作可能に接続されている、請求項１に記載のプリンタの動作方法。
【請求項７】
前記物体の前記特定された移動経路と前記グラフィカル表示装置を介して受信されたデータに先行する物体経路の前記クラスタとの間の前記類似度に応答して、前記コントローラによって、電気ヒータを電力に動作可能に接続することをさらに含み、
前記電気ヒータは、前記プリンタのインクリザーバに動作可能に接続されている、請求項１に記載のプリンタの動作方法。
【請求項８】
前記プリンタの前記メモリに記憶されている操作履歴データを参照して、前記プリンタの事前に行われている動作を特定することと、
前記事前に行われている動作において使用された前記プリンタの第１のコンポーネントを特定することと、
前記事前に行われている動作において使用されていない前記プリンタの第２のコンポーネントを特定することと、
前記コントローラによって前記第１のコンポーネントを電力に動作可能に接続し、前記第２のコンポーネントを電力から分離することと、
をさらに含み、
前記表示装置、前記少なくとも１つの他のコンポーネント、前記第１のコンポーネント、および前記第２のコンポーネントは異なるコンポーネントである、請求項１に記載のプリンタの動作方法。
【請求項９】
前記事前に行われている動作は、走査動作であり、前記第１のコンポーネントは光スキャナコンポネントであり、前記第２のコンポーネントは、前記プリンタの定着器に動作可能に接続されたヒータである、請求項８に記載のプリンタの動作方法。
【請求項１０】
前記事前に行われている動作は、走査動作であり、前記第１のコンポーネントは光スキャナコンポネントであり、前記第２のコンポーネントは、前記プリンタのインクリザーバに動作可能に接続されたヒータである、請求項８に記載のプリンタの動作方法。
【請求項１１】
ハウジングと、
前記ハウジングによって支持され、前記ハウジング外部の物体の移動を検知し、プリンタに関して前記物体の位置に対応する信号を生成するように構成された第１の近接センサと、
前記ハウジングによって支持されている印刷部と、
前記ハウジングによって支持されているグラフィカル表示装置と、
前記ハウジングによって支持されている入力装置と、
メモリと、
前記第１の近接センサ、前記印刷部、前記グラフィカル表示装置、前記入力装置、および前記メモリに動作可能に接続されたコントローラと、
を備え、前記コントローラは、
前記第１の近接センサが電力に動作可能に接続されている間、前記グラフィカル表示装置と前記印刷部の少なくとも１つの他のコンポーネントとを電力から分離し、
前記第１の近接センサからの複数の信号を受信し、
前記第１の近接センサによって生成された前記複数の信号を参照して、プリンタに近接する物体の移動経路を特定し、
前記物体の前記特定された移動経路と、メモリに格納された複数の物体経路における物体経路の各クラスタと、の間の類似度を特定し、前記メモリに格納されている前記複数の物体経路は、前記グラフィカル表示装置を介して受信されたデータに先行する物体経路の複数のクラスタと、前記グラフィカル表示装置を介して受信されたデータに先行しない物体経路の複数のクラスタと、を含み、
前記物体の前記特定された移動経路と前記グラフィカル表示装置を介して受信されたデータに先行する物体経路の１つのクラスタとの間の前記特定された類似度が、所定の閾値を超えることを検知し、
前記物体の前記特定された移動経路と前記グラフィカル表示装置を介して受信されたデータに先行する物体経路の前記１つのクラスタとの間の前記類似度が、前記所定の閾値を超えたことを検出したことに応答して、前記グラフィカル表示装置と前記印刷部の少なくとも１つの他のコンポーネントとを、電力に動作可能に接続するように構成されている、プリンタ。
【請求項１２】
前記ハウジングによって支持され、前記ハウジング外部の物体の移動を検知し、前記プリンタに関して前記物体の位置に対応する信号を生成するように構成された第２の近接センサをさらに備え、
前記コントローラは前記第２の近接センサに動作可能に接続され、前記コントローラはさらに、
前記第１の近接センサによって生成された前記複数の信号と前記第２の近接センサによって生成された他の複数の信号とを参照して、前記物体の前記特定された移動経路の間の前記類似度を特定するように構成されており、前記第２の近接センサは、前記コントローラにより電力に動作可能に接続される、請求項１１記載のプリンタ。
【請求項１３】
前記コントローラはさらに、
前記グラフィカル表示装置がデータを受信したことに応じて前記グラフィカル表示装置を介して受信されたデータに関連して、前記第１の近接センサおよび前記第２の近接センサからの前記複数の信号に対応したデータを、前記メモリにおける前記複数の物体経路に格納するように構成されている、請求項１２に記載のプリンタ。
【請求項１４】
前記コントローラはさらに、
前記物体の前記特定された移動経路と、前記メモリに格納されている複数の物体経路において前記グラフィカル表示装置を介して受信されたデータに先行しない物体経路のクラスタと、の間の１つの類似度が、前記所定の閾値を超えることを検知し、
前記物体の前記特定された移動経路と前記グラフィカル表示装置を介して受信されたデータに先行しない物体経路の前記クラスタとの間の前記類似度が、前記所定の閾値を超えたことを、前記コントローラが検出したことに応答して、前記プリンタの前記グラフィカル表示装置と前記プリンタの前記少なくとも１つの他のコンポーネントとを電力に動作可能に接続せずに、前記プリンタの動作を継続するように構成されている、請求項１２に記載のプリンタ。
【請求項１５】
前記コントローラはさらに、
前記コントローラで前記物体を検出した後所定時間内に前記グラフィカル表示装置がデータを受信しないことに応答して、前記グラフィカル表示装置を介して受信されたデータではないことに関連して、前記第１の近接センサおよび前記第２の近接センサからの前記複数の信号に対応するデータを、前記メモリに格納されている前記複数の物体経路に格納するように構成されている、請求項１４に記載のプリンタ。
【請求項１６】
前記印刷部はさらに、
定着器と、
前記定着器に動作可能に接続された電気ヒータと、を備え、
前記コントローラは、前記電気ヒータに動作可能に接続され、さらに、
前記物体の前記特定された移動経路と前記グラフィカル表示装置を介して受信されたデータに先行する物体経路の前記クラスタとの間の前記類似度が、前記所定の閾値を超えたことに応答して、前記電気ヒータを電力に動作可能に接続するように構成されている、請求項１１に記載のプリンタ。
【請求項１７】
前記印刷部はさらに、
インクリザーバと、
前記インクリザーバに動作可能に接続された電気ヒータと、を備え、
前記コントローラは、前記電気ヒータに動作可能に接続され、さらに、
前記物体の前記特定された移動経路と前記グラフィカル表示装置を介して受信されたデータに先行する物体経路の前記クラスタとの間の前記類似度に応答して、前記電気ヒータを電力に動作可能に接続するように構成されている、請求項１１に記載のプリンタ。
【請求項１８】
前記コントローラはさらに、
前記メモリに記憶されている操作履歴データを参照して、前記プリンタの事前に行われている動作を特定し、
前記事前に行われている動作において使用された前記印刷部の第１のコンポーネントを特定し、
前記事前に行われている動作において使用されていない前記印刷部の第２のコンポーネントを特定するように構成されており、前記表示装置、前記少なくとも１つの他のコンポーネント、前記第１のコンポーネント、および前記第２のコンポーネントは異なるコンポーネントであり、
前記コントローラによって前記第１のコンポーネントを電力に動作可能に接続し、前記第２のコンポーネントを電力から分離したままにするように構成されている、請求項１１に記載のプリンタ。
【請求項１９】
前記事前に行われている動作は、走査動作であり、前記第１のコンポーネントは前記印刷部の光スキャナであり、前記第２のコンポーネントは、前記印刷部の定着器に動作可能に接続されたヒータである、請求項１８に記載のプリンタ。
【請求項２０】
前記事前に行われている動作は、走査動作であり、前記第１のコンポーネントは前記印刷部の光スキャナであり、前記第２のコンポーネントは、前記印刷部のインクリザーバに動作可能に接続されたヒータである、請求項１９に記載のプリンタ。
【手続補正２】
【補正対象書類名】明細書
【補正対象項目名】００２９
【補正方法】変更
【補正の内容】
【００２９】
上述した、また他の種々の特徴および機能、あるいはそれらの代替物が多くの他の異なるシステムまたは用途に望ましく組み合わせることができることは理解されよう。これらの、種々の現在予見できないまたは予期しない代替、修正、変形、または改良を当業者によって後に実施することができ、これらは、添付の特許請求の範囲によって包含されることが意図される。以下に、本発明の構成の一例を付記として示す。
（付記１）
ハウジングと、
前記ハウジングによって支持され、前記ハウジング外部の物体の移動を検知するように構成された第１の近接センサと、
前記ハウジングによって支持されている印刷部と、
前記ハウジングによって支持されているグラフィカル表示装置と、
前記ハウジングによって支持されている入力装置と、
メモリと、
前記第１の近接センサ、前記印刷部、前記グラフィカル表示装置、前記入力装置、および前記メモリに動作可能に接続されたコントローラと、
を備え、前記コントローラは、
前記第１の近接センサが電力に動作可能に接続されている間、前記グラフィカル表示装置と前記印刷部の少なくとも１つの他のコンポーネントとを分離し、
前記第１の近接センサによって生成された複数の信号を参照して、プリンタに近接する物体の移動経路を特定し、
前記メモリに格納された複数の物体経路のうち少なくとも１つの物体経路のデータに対応する物体の移動経路を検出したことに応答して、前記グラフィカル表示装置と前記印刷部の少なくとも１つの他のコンポーネントとを、電力に動作可能に接続するように構成されており、前記少なくとも１つの物体経路は、プリンタの使用に対応する、プリンタ。
（付記２）
前記ハウジングによって支持され、前記ハウジング外部の物体の移動を検知するように構成された第２の近接センサをさらに備え、
前記コントローラは前記第２の近接センサに動作可能に接続され、前記コントローラはさらに、
前記第１の近接センサによって生成された前記複数の信号と前記第２の近接センサによって生成された他の複数の信号とを参照して前記プリンタに近接した前記物体の移動経路を特定するように構成されており、前記第２の近接センサは、前記コントローラにより電力に動作可能に接続される、付記１記載のプリンタ。
（付記３）
前記コントローラはさらに、
データを受信する入力装置に応じる前記プリンタの使用に関連して、前記第１の近接センサおよび前記第２の近接センサからの前記複数の信号に対応したデータを、前記メモリにおける前記複数の物体経路に格納するように構成されている、付記２に記載のプリンタ。
（付記４）
前記コントローラはさらに、
前記物体の特定された移動経路が、前記プリンタの前記メモリに格納された前記複数の物体経路のうち少なくとも１つの他の物体経路のデータに対応することを前記コントローラが検出したことに応答して、前記プリンタの前記グラフィカル表示装置と前記プリンタの前記少なくとも１つの他のコンポーネントとを電力に動作可能に接続せずに、前記プリンタの動作を継続するように構成されており、前記少なくとも１つの他の物体経路は、プリンタの不使用に対応する、付記２に記載のプリンタ。
（付記５）
前記コントローラはさらに、
前記コントローラで前記物体を検出した後所定時間内に前記入力装置がデータを受信しないことに応答して、前記プリンタを使用しないことに関連して、前記第１の近接センサおよび前記第２の近接センサからの前記複数の信号に対応するデータを、前記メモリに格納されている前記複数の物体経路に格納するように構成されている、付記４に記載のプリンタ。
（付記６）
前記印刷部はさらに、
定着器と、
前記定着器に動作可能に接続された電気ヒータと、を備え、
前記コントローラは、前記電気ヒータに動作可能に接続され、さらに、
前記特定された物体経路が、前記プリンタの使用に対応する、前記メモリに格納された前記少なくとも１つの物体経路に対応することに応答して、前記電気ヒータを電力に動作可能に接続するように構成されている、付記１に記載のプリンタ。
（付記７）
前記印刷部はさらに、
インクリザーバと、
前記インクリザーバに動作可能に接続された電気ヒータと、を備え、
前記コントローラは、前記電気ヒータに動作可能に接続され、さらに、
前記特定された物体経路が、前記プリンタの使用に対応する、前記メモリに格納された前記少なくとも１つの物体経路に対応することに応答して、前記電気ヒータを電力に動作可能に接続するように構成されている、付記１に記載のプリンタ。
（付記８）
前記コントローラはさらに、
前記メモリに記憶されている操作履歴データを参照して、前記プリンタの事前に行われている動作を特定し、
前記事前に行われている動作において使用された前記印刷部の第１のコンポーネントを特定し、
前記事前に行われている動作において使用されていない前記印刷部の第２のコンポーネントを特定するように構成されており、前記表示装置、前記少なくとも１つの他のコンポーネント、前記第１のコンポーネント、および前記第２のコンポーネントは異なるコンポーネントであり、
前記コントローラによって前記第１のコンポーネントを電力に動作可能に接続し、前記第２のコンポーネントを電力から分離したままにするように構成されている、付記１に記載のプリンタ。
（付記９）
前記事前に行われている動作は、走査動作であり、前記第１のコンポーネントは前記印刷部の光スキャナであり、前記第２のコンポーネントは、前記印刷部の定着器に動作可能に接続されたヒータである、付記８に記載のプリンタ。
（付記１０）
前記事前に行われている動作は、走査動作であり、前記第１のコンポーネントは前記印刷部の光スキャナであり、前記第２のコンポーネントは、前記印刷部のインクリザーバに動作可能に接続されたヒータである、付記９に記載のプリンタ。